(57)【要約】【課題】生ゴミの収集及び処理の合理化を図り、この結果、一般廃棄物のゴミの減少や再資源化などを図ることのできる生ゴミの処理システムを構築する。【解決手段】家庭１等から出た生ゴミを適宜な区域毎に設けられた収集場２に持ち込み、この収集場２において生ゴミを粉砕することでスラリー化して貯溜し、これを収集車３で汚水処理場４に搬入して当該汚水処理場４で浄化処理を行なう。収集車３はバキューム車であり、このバキューム車でスラリー化した生ゴミを吸引してタンクに貯留し、これを汚水処理場４としてのし尿処理施設に搬入して当該し尿処理施設で浄化処理する。【選択図】　図１
2004041936.tif 000002
【特許請求の範囲】
【請求項１】
家庭等から出た生ゴミを適宜な区域毎に設けられた収集場に持ち込み、この収集場において生ゴミを粉砕することでスラリー化して貯溜し、これを収集車で汚水処理場に搬入して当該汚水処理場で浄化処理を行なうことを特徴とする生ゴミの処理システム。
【請求項２】
前記収集車はバキューム車であり、このバキューム車でスラリー化した生ゴミを吸引してタンクに貯留し、これを汚水処理場としてのし尿処理施設に搬入して当該し尿処理施設で浄化処理することを特徴とする請求項１記載の生ゴミの処理システム。
【発明の詳細な説明】
【０００１】
【発明の属する技術分野】
本発明は、生ゴミを処理するための処理システムに関するものである。
【０００２】
【従来の技術】
家庭等から排出される生ゴミは、現状ではごく一部が推肥化処理等がなされているだけで、ほとんどは一般廃棄物としてこれを各治自体が収集し焼却処理しているのが現状である。
なお、一般廃棄物の組成は表１の通りであり、その物理性状は表２の通りである。
【０００３】
【表１】
2004041936.tif 000003
【０００４】
【表２】
2004041936.tif 000004
【０００５】
【発明が解決しようとする課題】
ところで、生ゴミは水分が非常に多く且つ腐敗しやすいのもを多く含んでいてその取扱いはやっかいなものであり、これを一般廃棄物として処理する上で以下のような問題があった。
【０００６】
▲１▼　一般廃棄物の収集は、ゴミ収集車により行われているが、戸別収集がほとんどであって、運転者１名、収集作業者１名（必要に応じて２名）がその作業に従事しているので、その収集運搬費用は高額で、発生ゴミ量の増加傾向とともに、その処理関係費が増加する。
【０００７】
▲２▼　一般廃棄物焼却時に発生するダイオキシン対策
廃棄物焼却時に発生するダイオキシンを分解するためには、燃焼排ガスの温度を８００℃以上に維持する必要がある。焼却ゴミ中に含まれる生ゴミの影響で焼却ゴミ中の水分が５０〜６０％と非常に高いので排ガス温度を常に８００℃以上の安定状態に維持することが難しく、場合によっては補助燃料を必要とする場合もある得る。仮に焼却ゴミに水分がなければ炉内温度維持が容易で、従ってダイオキシン対策もとりやすくなる。
【０００８】
▲３▼　生ゴミの腐敗による悪臭の発生、並びにゴミ置場での野犬、猫、カラス等による破袋、ゴミの散乱トラブルの発生とその対策も必要となる。
【０００９】
▲４▼　一般廃棄物に生ゴミが混入していると、水分の多い生ゴミとその他の廃棄物、例えば紙、繊維、金属等の成分分別が困難であり、もし生ゴミの混在がなければ、燃焼ゴミ中からの再資源化可能物を回収できてゴミ減量につながる。
【００１０】
等があげられ、これらは何れもその解決に緊急を要するものである。
【００１１】
ところで、全国にはくまなく設置された約１１００ヶ所のし尿処理場があり、ここでは有機性汚泥（ＳＳ）を含む高ＢＯＤ汚水の浄化を得意としている。
【００１２】
しかし、現在は農村部までトイレの水洗化がすすんだ結果、生し尿量の減少、そして浄化槽汚泥の発生とともに、し尿現場も浄化槽汚泥の処理を担うようになって来ており、汚水処理場としての能力に余裕を生じている。
【００１３】
本発明は、上述した社会の諸事情に鑑みてなされたもので、その目的とするところは、生ゴミの収集及び処理の合理化を図り、この結果、一般廃棄物のゴミの減少や再資源化などを図ることのできる生ゴミの処理システムを構築することにある。
【００１４】
【課題を解決するための手段】
請求項１に係る発明の生ゴミの処理システムは、家庭等から出た生ゴミを適宜な区域毎に設けられた収集場に持ち込み、この収集場において生ゴミを粉砕することでスラリー化して貯溜し、これを収集車で汚水処理場に搬入して当該汚水処理場で浄化処理を行なうことを特徴とする。
【００１５】
請求項２に係る発明の生ゴミの処理システムは、前記収集車はバキューム車であり、このバキューム車でスラリー化した生ゴミを吸引してタンクに貯留し、これを汚水処理場としてのし尿処理施設に搬入して当該し尿処理施設で浄化処理することを特徴とする。
【００１６】
【発明の実施の形態】
以下、本発明の実施の形態を図面を参照して説明する。
【００１７】
図１は、本発明の生ゴミの処理システムの概要を示している。
【００１８】
この生ゴミの処理システムは、一般廃棄物からの生ゴミを別扱いとし、各家庭１等から出た生ゴミを、所定の戸数単位毎に設置した収集場２に持ち込み、当該収集場２において生ゴミを粉砕することでスリラー化して所定量貯留し、これをバキューム車等の収集車３により収集してし尿処理施設などの汚水処理場４へ搬入し、この汚水処理場４で浄化処理を行うものである。以下、具体的に説明する。
【００１９】
まず、所定地域の全家庭等をある程度の人員（戸数）に区分して、その単位で収集場２を設ける。この収集場２には、各家庭の生ゴミ排出者が投入した生ゴミを微細に粉砕してスラリー化するための例えばミクロ破砕機の装置や、このスラリー化した生ゴミを貯留する貯留槽などの設備を設けている。
【００２０】
また、区分する単位戸数としては２０〜３０戸程度が適当であり、その設備設置カ所までの距離は最も離れた家庭等で徒歩約５分位までの範囲が適当と考えられる。
【００２１】
なお、家庭から個人的に持ち込まれた生ゴミを、その者自身が直接にホッパなどに投入して装置を始動させて目的を果たすことが可能ように装置の運転を自動化させておく必要がある。また装置運転上の安全にかかる設備を完備することも重要である。
【００２２】
また、生ゴミ中に金属やポリ等の異物が混入している場合には、収集場２での処理に支障をきたす虞があり懸念されるが、家庭等から出る生ゴミについてはこれら異物が混入することが殆どないのが経験的に分かっており支障をきたすことは殆どない。なお、木片（例えば割り箸など）、紙等は万一混入があっても支障をきたすことはない。
【００２３】
こうして収集場２おいてスラリー化されて貯留槽に貯留された生ゴミは、定期的又は必要に応じてバキューム車等の収集車３が各収集場２を巡回し、各収集場２の貯留槽から当該バキューム車のタンクに吸引して貯留し、これをし尿処理施設など汚水処理場４に搬送する。
【００２４】
このようにしてバキューム車でし尿処理施設に運び込まれたスラリー化した生ゴミの浄化処理のプロセスは、一般的には次の様な方式で行われる。
【００２５】
まず、前処理としてスラリー化した生ゴミをスクリーンにかけこのスクリーンを通過した通過液を以下の手法で汚水浄化するとともに、スクリーンを通過しなかった異物（スクリーン粕）は焼却処理する。
【００２６】
汚水浄化は、一般的にはＡ法とＢ法とがある。Ａ法では通過液を嫌気処理した後に好気処理し、この処理水を放流する。一方、Ｂ法では通過液を好気処理のみ行い、この処理水を放流する。なお、Ａ法、Ｂ法ともに処理により発生した汚泥等は、前記異物とともに焼却処理することになる。
【００２７】
このように各家庭等から出る生ゴミを本発明の生ゴミの処理システムにより処理することで、以下のような効果を得ることができる。
【００２８】
▲１▼　収集場からスラリー化された生ゴミをバキューム車等の収集車により処理場へ搬送することでゴミ収集費用を低減できる。
【００２９】
これはバキューム車等の流体搬送車は、運転者が吸引等の積込み作業にあたるので、収集運搬作業は１名で十分である。また、生ゴミスラリーの比重は１であるが、現在の燃焼ゴミの比重は表２の如く０．３付近と非常に嵩高く、限られた車載容積を考えると、生ゴミをスラリー化して収集する方が収集費を大幅に削減できる。
【００３０】
▲２▼　生ゴミを含まない一般廃棄物は、現状技術によって紙、ポリ、金属等の成分分別が容易であるから、再資源化できるものはリサイクルし、残りを焼却処理することで、燃焼ゴミ量を大幅に減少させることができる。
【００３１】
▲３▼　上記▲２▼を実行することで、処理ゴミ量が大幅減となり、且つ水分率の高い生ゴミを含まないので発熱量が増加し、ダイオキシン対策が容易になると同時に、現焼却炉についてその焼却負担を軽減できる。
【００３２】
ところで、現在我国では、全国レベルで下水道の建設計画が進められている。建設そのものは自治体が行い、その費用に国からの補助金が出るが、補助金不足分は自治体の負担となり、その資金のほとんどが起債によって賄われている。しかし近年、国、地方ともに資金難の現状から当初計画の通りの工事が進むことはあり得ない。
【００３３】
一方、下水道工事費総額中の８０％は各家庭と下水処理場とを結ぶ地下埋設導管工事費であって下水処理場の建設費は２０％にすぎない。このため、人口密集地の大都市では一戸あたりの管路工事費は小規模になり、特に農村地区に比較して大幅に低額となるが、現在下水道工事は一戸あたりの管路工事の高額な小規模自治体へと移りつつある。
【００３４】
また、前述の通り一般廃棄物の焼却施設の能力不足もゴミ量の増加に伴なって目立って来ている。
【００３５】
このような実情を全体的に勘案すると、農村地区などの小規模自治体にあっては、全戸に家庭用汚水浄化槽の設置を推進し、生ゴミを本発明の処理システムにより処理することで、汚水処理及び廃棄物を社会状況に合わせて合理的に処理することができる。
【００３６】
なお、本実施の形態では、汚水処理場としてし尿処理施設を例に採って説明したが、汚水処理場はし尿処理施設に限らず、スラリー化した生ゴミを処理できる施設であればよい。また、収集車もバキューム車に限るものでなく、スラリー化した生ゴミを収集場から汚水処理場に運搬できる車であればよい。
【００３７】
【発明の効果】
以上述べたように、本発明の生ゴミの処理システムによれば、生ゴミのスラリー化による収集の合理化、既存し尿処理場等の汚水処理場の活用、生ゴミを含まない一般廃棄物の成分分別と再資源化、燃焼ゴミの大幅減などを図ることができ、汚水及び廃棄物全般にわたる優れた処理システムを構築することができる。
【図面の簡単な説明】
【図１】本発明の生ゴミの処理システムの概要を示す図である。
【符号の説明】
１　各家庭
２　収集場
３　収集車
４　汚水処理場
【図１】
2004041936.tif 000005